(57)【特許請求の範囲】
【請求項１】
複数の絶縁体層が積層された積層体と、
前記積層体の外表面に設けられた第１及び第２の端子電極と、
前記積層体内に設けられ、一端面が前記第１の端子電極に接続された内部電極と、
前記積層体内に設けられ、一端面が前記第２の端子電極に接続された内部電極と、
を備える積層コンデンサであって、
一端面が前記第１の端子電極に接続された内部電極として、少なくとも第１及び第４の内部電極を備え、
一端面が前記第２の端子電極に接続された内部電極として、少なくとも第２及び第３の内部電極を備え、
前記第１の内部電極は、前記絶縁体層を挟んで前記第２の内部電極と隣り合うように配置され、
前記第３の内部電極は、前記第２の内部電極から見たときに前記絶縁体層の積層方向において前記第１の内部電極とは反対側に、前記第２の内部電極との間に前記絶縁体層を挟んで配置され、
前記第４の内部電極は、前記第３の内部電極と同一の層に、当該第４の内部電極の他端面と前記第３の内部電極の他端面とが対向するように配置され、
一端面が前記第１の端子電極に接続された内部電極のうち、前記積層方向から見たときに、一端面が前記第２の端子電極に接続された内部電極と前記絶縁体層のみを間に挟んだ状態で重なる部分を有するのは、前記第１の内部電極のみであり、
一端面が前記第２の端子電極に接続された内部電極のうち、前記積層方向から見たときに、一端面が前記第１の端子電極に接続された内部電極と前記絶縁体層のみを間に挟んだ状態で重なる部分を有するのは、前記第２の内部電極のみであり、
前記第１及び第２の内部電極は一対のみであり、
前記第２の内部電極と前記第３の内部電極とは、同じ大きさを有し、
前記第３の内部電極の前記他端面と前記第４の内部電極の前記他端面とで、静電容量を発生させていることを特徴とする積層コンデンサ。
【請求項２】
前記第１及び第２の内部電極の厚さは前記第３及び第４の内部電極の厚さよりも厚いことを特徴とする請求項１記載の積層コンデンサ。
【請求項３】
一端面が前記第１の端子電極に接続された内部電極として、第５の内部電極を更に備え、
前記第５の内部電極は、前記第２の内部電極と同一の層に、当該第５の内部電極の他端面と前記第２の内部電極の他端面とが対向するように配置され、
前記第２の内部電極の前記他端面と前記第５の内部電極の前記他端面とで、静電容量を発生させていることを特徴とする請求項１又は２記載の積層コンデンサ。
【請求項４】
前記積層方向から見たときに、前記第２の内部電極の他端面と前記第４の内部電極の他端面との間の距離は、前記第２の内部電極の他端面と前記第５の内部電極の他端面との間の距離よりも長いことを特徴とする請求項３記載の積層コンデンサ。
【請求項５】
一端面が前記第２の端子電極に接続された内部電極として、第６の内部電極を更に備え、
前記第６の内部電極は、前記第１の内部電極と同一の層に、当該第６の内部電極の他端面と前記第１の内部電極の他端面とが対向するように配置され、
前記第１の内部電極の前記他端面と前記第６の内部電極の前記他端面とで、静電容量を発生させていることを特徴とする請求項１〜４のいずれか一項記載の積層コンデンサ。
【請求項６】
一端面が前記第１の端子電極に接続された内部電極として、第７の内部電極を更に備え、
一端面が前記第２の端子電極に接続された内部電極として、第８の内部電極を更に備え、
前記第７の内部電極は、前記第１の内部電極から見たときに前記積層方向において前記第２の内部電極とは反対側に、前記第１の内部電極との間に前記絶縁体層を挟んで配置され、
前記第８の内部電極は、前記第７の内部電極と同一の層に、当該第８の内部電極の他端面と前記第７の内部電極の他端面とが対向するように配置され、
前記第１の内部電極と前記第７の内部電極とは、同じ大きさを有し、
前記第７の内部電極の前記他端面と前記第８の内部電極の前記他端面とで、静電容量を発生させていることを特徴とする請求項１〜５のいずれか一項記載の積層コンデンサ。
【発明の詳細な説明】
【技術分野】
【０００１】
本発明は、積層コンデンサに関する。
【背景技術】
【０００２】
従来、積層コンデンサとして、例えば特許文献１記載のものが知られている。特許文献１記載の積層コンデンサは、絶縁体層が積層された積層体と、積層体内に絶縁体層を介して交互に配置された２種類の内部電極と、積層体の外表面に配置された２つの端子電極と、を備えている。２種類の内部電極はそれぞれ複数存在し、一方の種類の内部電極は一方の端子電極に接続され、他方の種類の内部電極は他方の端子電極に接続されている。この積層コンデンサでは、２種類の内部電極を互いに重なり合うように配置することで、静電容量が発生する領域を形成している。
【特許文献１】特開平１０−１２４７８号公報
【発明の開示】
【発明が解決しようとする課題】
【０００３】
ところで近年、積層コンデンサにおいては、インダクタの品質を示すQ値の向上が望まれている。
【０００４】
特許文献１記載の積層コンデンサでは、２種類の内部電極をそれぞれ複数備えているので、抵抗が小さくなる。そのため、Q値の向上が期待できる。しかしながら、積層ずれが生じた場合に静電容量値のばらつきが大きくなるという問題が生じてしまう。
【０００５】
２種類の内部電極を一対のみ備える積層コンデンサも、従来から知られている。しかしながら、このような積層コンデンサの場合、内部電極の総厚みが薄くなり高抵抗となるため、Q値の向上が難しい。
【０００６】
そこで、本発明は、静電容量値のばらつきを抑制し、Q値の向上が可能な積層コンデンサを提供することを課題とする。
【課題を解決するための手段】
【０００７】
本発明の積層コンデンサは、複数の絶縁体層が積層された積層体と、積層体の外表面に設けられた第１及び第２の端子電極と、積層体内に設けられ、一端面が第１の端子電極に接続された内部電極と、積層体内に設けられ、一端面が第２の端子電極に接続された内部電極と、を備える積層コンデンサであって、一端面が第１の端子電極に接続された内部電極として、少なくとも第１及び第４の内部電極を備え、一端面が第２の端子電極に接続された内部電極として、少なくとも第２及び第３の内部電極を備え、第１の内部電極は、絶縁体層を挟んで第２の内部電極と隣り合うように配置され、第３の内部電極は、第２の内部電極から見たときに絶縁体層の積層方向において第１の内部電極とは反対側に、第２の内部電極との間に絶縁体層を挟んで配置され、第４の内部電極は、第３の内部電極と同一の層に、当該第４の内部電極の他端面と第３の内部電極の他端面とが対向するように配置され、一端面が第１の端子電極に接続された内部電極のうち、積層方向から見たときに、一端面が第２の端子電極に接続された内部電極と絶縁体層のみを間に挟んだ状態で重なる部分を有するのは、第１の内部電極のみであり、一端面が第２の端子電極に接続された内部電極のうち、積層方向から見たときに、一端面が第１の端子電極に接続された内部電極と絶縁体層のみを間に挟んだ状態で重なる部分を有するのは、第２の内部電極のみであり、第１及び第２の内部電極は一対のみであることを特徴とする。
【０００８】
本発明に係る積層コンデンサでは、第１の端子電極に接続された内部電極と第２の端子電極に接続された内部電極との組み合わせにおいて、互いに重なり合うのは第１の内部電極と第２の内部電極との組み合わせのみであり、しかも第１及び第２の内部電極の対は１つのみである。よって、本発明に係る積層コンデンサにおいて、内部電極同士が重なり合うことで静電容量が発生する領域は、１つのみ存在することとなる。その結果、内部電極同士が重なり合う領域を複数有する積層コンデンサと比べて、静電容量値のばらつきを抑制することができる。
【０００９】
また、本発明に係る積層コンデンサでは、第２の端子電極に接続された第３の内部電極と第１の端子電極に接続された第４の内部電極とが同一の層に配されており、これらの内部電極の他端面は互いに対向している。そのため、第３及び第４の内部電極間は、静電容量が発生する領域となる。かかる領域は、同一の層に位置する内部電極間にあるので、重なり合う内部電極間にある静電容量の発生領域と比べて、積層ずれ等の影響を受けにくい。したがって、静電容量値のばらつきを更に抑制することができる。第３の内部電極の他端面と第４の内部電極の他端面とを対向させることで、比較的小さな値の静電容量を発生させることができる。よって、積層コンデンサとしての静電容量値を微調整することが可能となる。
【００１０】
更に、本発明に係る積層コンデンサでは、第１及び第４の内部電極は第１の端子電極に接続され、第２及び第３の内部電極は第２の端子電極に接続されている。よって、第１の端子電極には第１及び第４の内部電極が並列接続され、第２の端子電極には第２及び第３の内部電極が並列接続されることとなる。端子電極それぞれに複数の内部電極を並列接続することにより、直流抵抗を低減することができる。その結果、積層コンデンサのQ値を向上させることができる。
【００１１】
好ましくは、第１及び第２の内部電極の厚さは第３及び第４の内部電極の厚さよりも厚い。
【００１２】
この場合、第１及び第２の内部電極の厚さを比較的厚くできるので、直流抵抗を更に下げることが可能となり、積層コンデンサのQ値をいっそう向上させることができる。また、第３及び第４の内部電極の厚さを比較的薄くできるので、第３及び第４の内部電極の端面間にて発生する静電容量の値をより小さくすることができる。よって、静電容量値の微調整がより確実に可能となる。
【００１３】
好ましくは、一端面が第１の端子電極に接続された内部電極として、第５の内部電極を更に備え、第５の内部電極は、第２の内部電極と同一の層に、当該第５の内部電極の他端面と第２の内部電極の他端面とが対向するように配置されている。
【００１４】
この場合、第５の内部電極の端面と第２の内部電極の端面とを対向させることで、これらの間に静電容量が発生する領域を形成することができ、しかも静電容量値を比較的小さなものとすることができる。その結果、静電容量値の微調整が可能となる。
【００１５】
好ましくは、積層方向から見たときに、第２の内部電極の他端面と第４の内部電極の他端面との間の距離は、第２の内部電極の他端面と第５の内部電極の他端面との間の距離よりも長い。
【００１６】
この場合、第４の内部電極の他端面を第２の内部電極の他端面からより遠ざけることとなる。これにより、積層ずれ等が生じた際に、第２の内部電極と第４の内部電極とが重なり合って、第２の内部電極と第４の内部電極とで静電容量を発生してしまう可能性を低減できる。よって、静電容量値のばらつきが少ない積層コンデンサをより確実に得ることができる。
【００１７】
好ましくは、積層方向から見たときに、第５の内部電極の他端面と第３の内部電極の他端面との間の距離は、第５の内部電極の他端面と第２の内部電極の他端面との間の距離よりも長い。
【００１８】
この場合、第３の内部電極の他端面を第５の内部電極の他端面からより遠ざけることとなる。これにより、積層ずれ等が生じた際に、第１の内部電極と第３の内部電極とが第２の内部電極を介さずに重なり合って、第１の内部電極と第３の内部電極とが静電容量を発生してしまう可能性を低減できる。よって、静電容量値のばらつきが少ない積層コンデンサをより確実に得ることができる。
【００１９】
好ましくは、一端面が第２の端子電極に接続された内部電極として、第６の内部電極を更に備え、第６の内部電極は、第１の内部電極と同一の層に、当該第６の内部電極の他端面と第１の内部電極の他端面とが対向するように配置されている。
【００２０】
この場合、第６の内部電極の端面と第１の内部電極の端面とを対向させることで、これらの間に静電容量が発生する領域を形成することができ、しかも静電容量値を比較的小さなものとすることができる。その結果、静電容量値の微調整が可能となる。
【００２１】
好ましくは、一端面が第１の端子電極に接続された内部電極として、第７の内部電極を更に備え、一端面が第２の端子電極に接続された内部電極として、第８の内部電極を更に備え、第７の内部電極は、第１の内部電極から見たときに積層方向において第２の内部電極とは反対側に、第１の内部電極との間に絶縁体層を挟んで配置され、第８の内部電極は、第７の内部電極と同一の層に、当該第８の内部電極の他端面と第７の内部電極の他端面とが対向するように配置されている。
【００２２】
この場合、第７の内部電極の端面と第８の内部電極の端面とを対向させることで、これらの間に静電容量が発生する領域を形成することができ、しかも静電容量値を比較的小さなものとすることができる。その結果、静電容量値の微調整が可能となる。
【発明の効果】
【００２３】
本発明によれば、静電容量値のばらつきを抑制し、Q値の向上が可能な積層コンデンサを提供することができる。
【発明を実施するための最良の形態】
【００２４】
以下、添付図面を参照して、本発明の好適な実施形態について詳細に説明する。説明において、同一要素又は同一機能を有する要素には、同一符号を用いることとし、重複する説明は省略する。
（第１実施形態）
【００２５】
図１は、第１実施形態に係る積層コンデンサの斜視図である。図２は、第１実施形態に係る積層コンデンサが備える積層体の断面図である。図３は、第１実施形態に係る積層コンデンサが備える積層体の分解斜視図である。
【００２６】
積層コンデンサＣ１は、図１に示されるように、積層体１と、積層体１の外表面に配置された第１及び第２の端子電極１０，１１とを備えている。
【００２７】
積層体１は略直方体であって、側面４〜９を有している。側面４は側面５と対向し、側面６は側面７と対向し、側面８は側面９と対向している。側面４，５は長方形状を呈しており、側面６，７は、側面４，５を連結するように側面４，５の短辺方向に沿って伸びている。側面８，９は、側面４，５を連結するように側面４，５の長辺方向に沿って伸びている。
【００２８】
第１及び第２の端子電極１０，１１は、互いに絶縁されている。第１の端子電極１０は、側面６を覆うように配置されている。第２の端子電極１１は、側面７を覆うように配置されている。第１及び第２の端子電極１０，１１は、例えば、導電性金属粉末及びガラスフリットを含む導電性ペーストを積層体１の対応する外表面に付与し、焼き付けることによって形成される。なお必要に応じて、焼き付けられた電極の上にめっき層が形成されることもある。
【００２９】
積層体１は、図２及び図３に示されるように、複数（本実施形態では７層）の絶縁体層２０が積層されたものである。先述した積層体１の側面６〜９は絶縁体層２０の積層方向に沿って伸びる面であり、側面４，５は絶縁体層２０の積層方向と直交する方向に伸びる面である。各絶縁体層２０は、例えば誘電体セラミックを含むセラミックグリーンシートの焼結体から構成される。実際の積層コンデンサＣ１では、各絶縁体層２０は、絶縁体層２０の間の境界が視認できない程度に一体化されている。
【００３０】
積層コンデンサＣ１は積層体１内に、複数（本実施形態では１２個）の内部電極を備えている。複数の内部電極は、１つの第１の内部電極２１と、１つの第２の内部電極２２と、複数（本実施形態では２つ）の第３の内部電極２３と、複数（本実施形態では２つ）の第４の内部電極２４と、１つの第５の内部電極２５と、１つの第６の内部電極２６と、複数（本実施形態では２つ）の第７の内部電極２７と、複数（本実施形態では２つ）の第８の内部電極２８とからなる。第１〜第８の内部電極２１〜２８は、導電性ペーストの焼結体から構成される。
【００３１】
第１，第４，第５，及び第７の内部電極２１，２４，２５，２７は、一端面が第１の端子電極１０に接続されている。また、第２，第３，第６，及び第８の内部電極２２，２３，２６，２８は、一端面が第２の端子電極１１に接続されている。第１，第４，第５，及び第７の内部電極２１，２４，２５，２７のうち、一端面が第２の端子電極１１に接続された内部電極と、絶縁体層２０の積層方向から見たときに絶縁体層２０のみを間に挟んで重なる部分を有するのは、第１の内部電極２１だけである。第２，第３，第６，及び第８の内部電極２２，２３，２６，２８のうち、一端面が第１の端子電極１０に接続された内部電極と、絶縁体層２０の積層方向から見たときに絶縁体層２０のみを間に挟んで重なる部分を有するのは、第２の内部電極２２だけである。以下、第１〜第８の内部電極２１〜２８の構成について、より詳しく述べる。
【００３２】
第１の内部電極２１は、絶縁体層２０に挟まれている。第１の内部電極２１の一端面は、積層体１から露出して第１の端子電極１０に接続されている。より具体的には、第１の内部電極２１は、その一端部が積層体１の側面６側に位置しており、当該一端部の端面は積層体１の側面６から露出している。
【００３３】
第６の内部電極２６は、第１の内部電極２１と同一の層に位置している。第６の内部電極２６の一端面は、積層体１から露出して第２の端子電極１１に接続されている。より具体的には、第６の内部電極２６は、その一端部が積層体１の側面７側に位置しており、当該一端部の端面は積層体１の側面７から露出している。第６の内部電極２６と第１の内部電極２１とは、他端部の端面同士が対向している。これにより、積層体１は、第１の内部電極２１と第６の内部電極２６とで挟まれる容量形成領域１ａを含むこととなる。容量形成領域１ａは、絶縁体層２０のうち、第１の内部電極２１と第６の内部電極２６との間に位置する部分であり、積層コンデンサＣ１の静電容量を実質的に生じさせる領域である。
【００３４】
第２の内部電極２２は、絶縁体層２０を挟んで第１の内部電極２１と隣り合うように配置されている。第２の内部電極２２の一端面は、積層体１から露出して第２の端子電極１１に接続されている。より具体的には、第２の内部電極２２は、その一端部が積層体１の側面７側に位置しており、当該一端部の端面は積層体１の側面７から露出している。また、第２の内部電極２２は、絶縁体層２０の積層方向から見たときに、第１の内部電極２１と重なる領域を有している。より具体的には、第２の内部電極２２の他端部は、第１の内部電極２１の他端部と絶縁体層２０の積層方向から見たときに重なっている。これにより、積層体１は、第１の内部電極２１と第２の内部電極２２とで挟まれる容量形成領域１ｂを含むこととなる。容量形成領域１ｂは、絶縁体層２０のうち、第１の内部電極２１と第２の内部電極２２とに重なる部分であり、積層コンデンサＣ１の静電容量を実質的に生じさせる領域である。
【００３５】
第５の内部電極２５は、第２の内部電極２２と同一の層に位置している。第５の内部電極２５の一端面は、積層体１から露出して第１の端子電極１０に接続されている。より具体的には、第５の内部電極２５は、その一端部が積層体１の側面６側に位置しており、当該一端部の端面は積層体１の側面６から露出している。第５の内部電極２５と第２の内部電極２２とは、他端部の端面同士が対向している。これにより、積層体１は、第２の内部電極２２と第５の内部電極２５とで挟まれる容量形成領域１ｃを含むこととなる。容量形成領域１ｃは、絶縁体層２０のうち、第２の内部電極２２と第５の内部電極２５との間に位置する部分であり、積層コンデンサＣ１の静電容量を実質的に生じさせる領域である。なお、第５の内部電極２５は、絶縁体層２０の積層方向から見たときに、第６の内部電極２６と重なりを有していない。
【００３６】
第３の内部電極２３は、第２の内部電極２２から見たときに、絶縁体層２０の積層方向において第１の内部電極２１とは反対側に配置されている。第３の内部電極２３は、第２の内部電極２２との間に絶縁体層２０を挟んで配置されている。第３の内部電極２３の一端面は、積層体１から露出して第２の端子電極１１に接続されている。より具体的には、第３の内部電極２３は、その一端部が積層体１の側面７側に位置しており、当該一端部の端面は積層体１の側面７から露出している。
【００３７】
第３の内部電極２３は、絶縁体層２０の積層方向から見たときに第２の内部電極２２からはみ出さないように配置されている。より具体的には、第３の内部電極２３は、第２の内部電極２２と同じ大きさを有している。このように配置された第３の内部電極２３と第１の内部電極２１との間には、第２の内部電極２２を介さずに重なり合う領域、すなわち積層コンデンサＣ１の静電容量を実質的に生じさせる領域が形成されない。
【００３８】
第４の内部電極２４は、第３の内部電極２３と同一の層に位置している。第４の内部電極２４の一端面は、積層体１から露出して第１の端子電極１０に接続されている。より具体的には、第４の内部電極２４は、その一端部が積層体１の側面６側に位置しており、当該一端部の端面は積層体１の側面６から露出している。第４の内部電極２４と第３の内部電極２３とは、他端部の端面同士が対向している。これにより、積層体１は、第３の内部電極２３と第４の内部電極２４とで挟まれる容量形成領域１ｄを含むこととなる。容量形成領域１ｄは、絶縁体層２０のうち、第３の内部電極２３と第４の内部電極２４との間に位置する部分であり、積層コンデンサＣ１の静電容量を実質的に生じさせる領域である。
【００３９】
第４の内部電極２４は、絶縁体層２０の積層方向から見たときに第５の内部電極２５からはみ出さないように配置されている。より具体的には、第４の内部電極２４は、第５の内部電極２５と同じ大きさを有している。このように第４の内部電極２４を配置することにより、第４の内部電極２４と第２の内部電極２２との間に、積層コンデンサＣ１の静電容量を実質的に生じさせる領域が形成されることを防げる。
【００４０】
第７の内部電極２７は、第１の内部電極２１から見たときに、絶縁体層２０の積層方向において第２の内部電極２２とは反対側に配置されている。第７の内部電極２７は、第１の内部電極２１との間に絶縁体層２０を挟んで配置されている。第７の内部電極２７の一端面は、積層体１から露出して第１の端子電極１０に接続されている。より具体的には、第７の内部電極２７は、その一端部が積層体１の側面６側に位置しており、当該一端部の端面は積層体１の側面６から露出している。
【００４１】
第７の内部電極２７は、絶縁体層２０の積層方向から見たときに第１の内部電極２１からはみ出さないように配置されている。より具体的には、第７の内部電極２７は、第１の内部電極２１と同じ大きさを有している。このように配置された第７の内部電極２７と第２の内部電極２２との間には、第１の内部電極２１を介さずに重なり合う領域、すなわち積層コンデンサＣ１の静電容量を実質的に生じさせる領域が形成されない。
【００４２】
第８の内部電極２８は、第７の内部電極２７と同一の層に位置している。第８の内部電極２８の一端面は、積層体１から露出して第２の端子電極１１に接続されている。より具体的には、第８の内部電極２８は、その一端部が積層体１の側面７側に位置しており、当該一端部の端面は積層体１の側面７から露出している。第８の内部電極２８と第７の内部電極２７とは、他端部の端面同士が対向している。これにより、積層体１は、第７の内部電極２７と第８の内部電極２８とで挟まれる容量形成領域１ｅを含むこととなる。容量形成領域１ｅは、絶縁体層２０のうち、第７の内部電極２７と第８の内部電極２８との間に位置する部分であり、積層コンデンサＣ１の静電容量を実質的に生じさせる領域である。
【００４３】
第８の内部電極２８は、絶縁体層２０の積層方向から見たときに第６の内部電極２６からはみ出さないように配置されている。より具体的には、第８の内部電極２８は、第６の内部電極２６と同じ大きさを有している。このように第８の内部電極２８を配置することにより、第８の内部電極２８と第１の内部電極２１との間に、積層コンデンサＣ１の静電容量を実質的に生じさせる領域が形成されることを防げる。
【００４４】
以上述べた構成を有する第１実施形態に係る積層コンデンサＣ１によれば、重なり合う内部電極による容量形成領域は、容量形成領域１ｂのみである。しかも、第１及び第２の内部電極２１，２２を１対しか備えないので、容量形成領域１ｂは１つのみとなる。したがって、第１実施形態に係る積層コンデンサＣ１では、重なり合う内部電極による容量形成領域は１つしか存在しないこととなる。そのため、重なり合う内部電極による容量形成領域を複数有する積層コンデンサと比べて、静電容量値のばらつきを抑制することができる。
【００４５】
また第１実施形態に係る積層コンデンサＣ１は、第１及び第６の内部電極２１，２６による容量形成領域１ａと、第２及び第５の内部電極２２，２５による容量形成領域１ｃと、第３及び第４の内部電極２３，２４による容量形成領域１ｄと、第７及び第８の内部電極２７，２８による容量形成領域１ｅとを有している。容量形成領域１ａ，１ｃ，１ｄ，１ｅは、同一の層に位置する２つの内部電極間にあるため、重なり合う２つの内部電極による容量形成領域１ｂと比べて、積層ずれ等の影響を受けにくい。したがって、積層コンデンサＣ１における静電容量値のばらつきを更に抑えることができる。容量形成領域１ａ，１ｃ，１ｄ，１ｅは、２つの内部電極の端面間に生じるものであるため、容量形成領域１ｂと比べて静電容量値が小さくなる。よって、積層コンデンサＣ１としての静電容量値を微調整することが可能となる。
【００４６】
また、第１実施形態に係る積層コンデンサＣ１では、第１の端子電極１０には第１、第４、第５、及び第７の内部電極２１，２４，２５，２７が並列接続され、第２の端子電極１１には第２、第３、第６、及び第８の内部電極２２，２３，２６，２８が並列接続されている。第１及び第２の端子電極１０，１１それぞれに複数の内部電極を並列接続することで、直流抵抗を低減することができる。その結果、積層コンデンサのQ値を向上させることができる。
【００４７】
続いて、図４（ａ）に基づいて、第１実施形態の変形例について説明する。図４（ａ）は、第１実施形態の変形例に係る積層コンデンサが備える積層体の断面図である。本変形例に係る積層コンデンサでは、第３及び第７の内部電極２３，２７の形状が第１実施形態と異なっている。
【００４８】
本変形例の第３の内部電極２３は、積層体１の側面６，７が対向する方向において、第２の内部電極２２よりも長さが短い。そのため、絶縁体層２０の積層方向から見たときに、第５の内部電極２５の他端面と第３の内部電極２３の他端面との間の距離は、第５の内部電極２５の他端面と第２の内部電極２２の他端面との間の距離よりも長くなる。第３の内部電極２３と第２の内部電極２２が同じ長さの場合、大きな積層ずれ等が発生した際に、絶縁体層２０の積層方向において第２の内部電極２２と第５の内部電極２５との間から第３の内部電極２３がはみ出てしまう可能性が生じる。第３の内部電極２３がはみ出ると、第３の内部電極２３と第１の内部電極２１との間に、静電容量を実質的に生じさせる領域ができてしまうおそれがある。本変形例では、第３の内部電極２３を第２の内部電極２２よりも短くすることにより、積層ずれ等が発生した際に、静電容量を実質的に生じさせる領域が新たに形成されるのを未然に防いでいる。
【００４９】
本変形例の第７の内部電極２７は、積層体１の側面６，７が対向する方向において、第１の内部電極２１よりも長さが短い。そのため、絶縁体層２０の積層方向から見たときに、第７の内部電極２７の他端面と第６の内部電極２６の他端面との間の距離は、第１の内部電極２１の他端面と第６の内部電極２６の他端面との間の距離よりも長くなる。第７の内部電極２７と第１の内部電極２１が同じ長さの場合、大きな積層ずれ等が発生したときに、絶縁体層２０の積層方向において第１の内部電極２１と第６の内部電極２６との間から第７の内部電極２７がはみ出て、第７の内部電極２７と第２の内部電極２２との間に静電容量を実質的に生じさせる領域ができてしまうおそれがある。本変形例では、第７の内部電極２７を第１の内部電極２１よりも短くすることにより、積層ずれ等が発生した際に、静電容量を実質的に生じさせる領域が新たに形成されるのを未然に防いでいる。
【００５０】
このような積層コンデンサでは、第１実施形態に係る積層コンデンサＣ１と同じ効果を得ることができる。また、第３の内部電極２３を第２の内部電極２２よりも短くし、第７の内部電極２７を第１の内部電極２１よりも短くしたので、積層ずれ等が発生した際に、静電容量を実質的に生じさせる領域が新たに形成されるのを抑制できる。よって、静電容量値のばらつきが少ない積層コンデンサをより確実に得ることができる。
【００５１】
続いて、図４（ｂ）に基づいて、第１実施形態の他の変形例について説明する。図４（ｂ）は、第１実施形態の他の変形例に係る積層コンデンサが備える積層体の断面図である。本変形例に係る積層コンデンサでは、第４及び第８の内部電極２４，２８の形状が第１実施形態と異なっている。
【００５２】
本変形例の第４の内部電極２４は、積層体１の側面６，７が対向する方向において、第５の内部電極２５よりも長さが短い。そのため、絶縁体層２０の積層方向から見たときに、第２の内部電極２２の他端面と第４の内部電極２４の他端面との間の距離は、第２の内部電極２２の他端面と第５の内部電極２５の他端面との間の距離よりも長くなる。これにより、大きな積層ずれ等が発生した際に、絶縁体層２０の積層方向において第４の内部電極２４が第５の内部電極２５からはみ出る可能性を低減できる。その結果、第４の内部電極２４と第２の内部電極２２との間に、静電容量を実質的に生じさせる領域ができてしまう可能性を低減できる。
【００５３】
本変形例の第８の内部電極２８は、積層体１の側面６，７が対向する方向において、第６の内部電極２６よりも長さが短い。そのため、絶縁体層２０の積層方向から見たときに、第８の内部電極２８の他端面と第１の内部電極２１の他端面との間の距離は、第６の内部電極２６の他端面と第１の内部電極２１の他端面との間の距離よりも長くなる。これにより、積層ずれ等が発生した際に、絶縁体層２０の積層方向において第８の内部電極２８が第６の内部電極２６からはみ出る可能性を低減できる。その結果、第８の内部電極２８と第１の内部電極２１との間に、静電容量を実質的に生じさせる領域ができてしまう可能性を低減できる。
【００５４】
このような積層コンデンサでは、第１実施形態に係る積層コンデンサＣ１と同じ効果を得ることができる。また、第４の内部電極２４を第５の内部電極２５よりも短くし、第８の内部電極２８を第６の内部電極２６よりも短くしたので、積層ずれ等が発生した際に、静電容量を実質的に生じさせる領域が新たに形成されるのを抑制できる。よって、静電容量値のばらつきが少ない積層コンデンサをより確実に得ることができる。
【００５５】
続いて、図４（ｃ）に基づいて、第１実施形態の他の変形例について説明する。図４（ｃ）は、第１実施形態の他の変形例に係る積層コンデンサが備える積層体の断面図である。本変形例に係る積層コンデンサでは、第３、第４、第７、及び第８の内部電極２３，２４，２７，２８の形状が第１実施形態と異なっている。
【００５６】
積層体１の側面６，７が対向する方向において、本変形例の第３の内部電極２３は第２の内部電極２２よりも長さが短く、第４の内部電極２４は第５の内部電極２５よりも長さが短く、第７の内部電極２７は第１の内部電極２１よりも長さが短く、第８の内部電極２８は第６の内部電極２６よりも長さが短い。これにより、大きな積層ずれ等が発生した際に、第１の内部電極２１と第３及び第８の内部電極２３，２８との間、及び、第２の内部電極２２と第４及び第７の内部電極２４，２７との間に、静電容量を実質的に生じさせる領域ができてしまう可能性を低減できる。
【００５７】
このような積層コンデンサでは、第１実施形態に係る積層コンデンサＣ１と同じ効果を得ることができる。また、第３、第４、第７、及び第８の内部電極２３，２４，２７，２８を短くしたので、積層ずれ等が発生した際に、静電容量を実質的に生じさせる領域が新たに形成されるのを抑制でき、静電容量値のばらつきが少ない積層コンデンサをより確実に得ることができる。
（第２実施形態）
【００５８】
図５（ａ）は、第２実施形態に係る積層コンデンサが備える積層体の断面図である。
【００５９】
第２実施形態に係る積層コンデンサは、第１実施形態に係る積層コンデンサＣ１と同じく、略直方体の積層体１と、第１及び第２の端子電極１０，１１とを備えている。
【００６０】
積層体１は、複数（本実施形態では７層）の絶縁体層２０が積層されたものである。第２実施形態に係る積層コンデンサは、積層体１内に、複数（本実施形態では１２個）の内部電極を備えている。複数の内部電極は、１つの第１の内部電極２１と、１つの第２の内部電極２２と、複数（本実施形態では４つ）の第３の内部電極２３と、複数（本実施形態では４つ）の第４の内部電極２４と、１つの第５の内部電極２５と、１つの第６の内部電極２６とからなる。第１〜第６の内部電極２１〜２６は、第１実施形態に係る積層コンデンサが備える第１〜第６の内部電極２１〜２６と同一の構成を有している。
【００６１】
第２実施形態に係る積層コンデンサによれば、第１実施形態に係る積層コンデンサＣ１と同様に、重なり合う内部電極に挟まれた容量形成領域は、第１の内部電極２１と第２の内部電極２２とで挟まれた容量形成領域のみであり、当該容量形成領域は１つしか存在しない。そのため、重なり合う内部電極に挟まれた容量形成領域を複数有する積層コンデンサと比べて、静電容量値のばらつきを抑えることができる。また、第１の内部電極２１と第６の内部電極２６とで挟まれる容量形成領域と、第２の内部電極２２と第５の内部電極２５とで挟まれる容量形成領域と、第３の内部電極２３と第４の内部電極２４とで挟まれる容量形成領域とを有し、これらの容量形成領域は、第１の内部電極２１と第２の内部電極２１とで挟まれた容量形成領域と比べて積層ずれ等の影響を受けにくい。よって、積層コンデンサＣ１における静電容量値のばらつきをいっそう抑えることができる。更に、第１の端子電極１０には第１、第４、及び第５の内部電極２１，２４，２５が並列接続され、第２の端子電極１１には第２、第３、及び第６の内部電極２２，２３，２６が並列接続されているので、直流抵抗を低減することができ、積層コンデンサのQ値を向上させることができる。
【００６２】
続いて、図５（ｂ）に基づいて、第２実施形態の変形例について説明する。図５（ｂ）は、第２実施形態の変形例に係る積層コンデンサが備える積層体の断面図である。本変形例に係る積層コンデンサでは、第３の内部電極２３の形状が第２実施形態と異なっている。
【００６３】
本変形例の第３の内部電極２３は、積層体１の側面６，７が対向する方向において、第２の内部電極２２よりも長さが短い。これにより、積層ずれ等が発生した際に、絶縁体層２０の積層方向において第２の内部電極２２と第５の内部電極２５との間から第３の内部電極２３がはみ出る可能性を低減できる。その結果、第３の内部電極２３と第１の内部電極２１との間に、静電容量を実質的に生じさせる領域が形成される可能性を低減できる。
【００６４】
このような積層コンデンサでは、第２実施形態に係る積層コンデンサと同じ効果を得ることができる。また、第３の内部電極２３を第２の内部電極２２よりも短くしたので、積層ずれ等が発生した際に、静電容量を実質的に生じさせる領域が新たに形成されるのを抑制でき、静電容量値のばらつきが少ない積層コンデンサをより確実に得ることができる。
【００６５】
続いて、図６（ａ）に基づいて、第２実施形態の他の変形例について説明する。図６（ａ）は、第２実施形態の他の変形例に係る積層コンデンサが備える積層体の断面図である。本変形例に係る積層コンデンサでは、第４の内部電極２４の形状が第２実施形態と異なっている。
【００６６】
本変形例の第４の内部電極２４は、積層体１の側面６，７が対向する方向において、第５の内部電極２５よりも長さが短い。これにより、積層ずれ等が発生した際に、絶縁体層２０の積層方向において第４の内部電極２４が第５の内部電極２５からはみ出す可能性を低減できる。その結果、第２の内部電極２２と第４の内部電極２４との間に、静電容量を実質的に生じさせる領域が形成される可能性を低減できる。
【００６７】
このような積層コンデンサでは、第２実施形態に係る積層コンデンサと同じ効果を得ることができる。また、第４の内部電極２４を第５の内部電極２５よりも短くしたので、積層ずれ等が発生した際に、静電容量を実質的に生じさせる領域が新たに形成されるのを抑制でき、静電容量値のばらつきが少ない積層コンデンサをより確実に得ることができる。
【００６８】
続いて、図６（ｂ）に基づいて、第２実施形態の他の変形例について説明する。図６（ｂ）は、第２実施形態の他の変形例に係る積層コンデンサが備える積層体の断面図である。本変形例に係る積層コンデンサでは、第３及び第４の内部電極２３，２４の形状が第２実施形態と異なっている。
【００６９】
積層体１の側面６，７が対向する方向において、本変形例の第３の内部電極２３は第２の内部電極２２よりも長さが短く、第４の内部電極２４は第５の内部電極２５よりも長さが短い。これにより、積層ずれ等が発生した際に、絶縁体層２０の積層方向において、第２の内部電極２２から第３の内部電極２３がはみ出る可能性、及び、第５の内部電極２５から第４の内部電極２４がはみ出る可能性を低減できる。その結果、第１の内部電極２１と第３の内部電極２３との間、及び、第２の内部電極２２と第４の内部電極２４との間に、静電容量を実質的に生じさせる領域が形成される可能性を低減できる。
【００７０】
このような積層コンデンサでは、第２実施形態に係る積層コンデンサと同じ効果を得ることができる。また、第３及び第４の内部電極２３，２４をより小さくしたので、積層ずれ等が発生した際に、静電容量を実質的に生じさせる領域が新たに形成される可能性を抑制でき、静電容量値のばらつきが少ない積層コンデンサをより確実に得ることができる。
（第３実施形態）
【００７１】
図７は、第３実施形態に係る積層コンデンサが備える積層体の断面図である。
【００７２】
第３実施形態に係る積層コンデンサは、第１実施形態に係る積層コンデンサＣ１と同じく、略直方体の積層体１と、第１及び第２の端子電極１０，１１とを備えている。
【００７３】
積層体１は、複数（本実施形態では７層）の絶縁体層２０が積層されたものである。第３実施形態に係る積層コンデンサは、積層体１内に、複数（本実施形態では１２個）の内部電極を備えている。複数の内部電極は、１つの第１の内部電極２１と、１つの第２の内部電極２２と、複数（本実施形態では２つ）の第３の内部電極２３と、複数（本実施形態では２つ）の第４の内部電極２４と、１つの第５の内部電極２５と、１つの第６の内部電極２６と、複数（本実施形態では２つ）の第７の内部電極２７と、複数（本実施形態では２つ）の第８の内部電極２８とからなる。
【００７４】
絶縁体層２０の積層方向から見た第１〜第８の内部電極２１〜２８の形状は、第１実施形態に係る積層コンデンサＣ１が備える第１〜第８の内部電極２１〜２８と同一である。ただし、第１、第２、第５、及び第６の内部電極２１，２２，２５，２６は、第３、第４、第７、及び第８の内部電極２３，２４，２７，２８と比べて、厚くなっている。
【００７５】
第３実施形態に係る積層コンデンサによれば、第１実施形態に係る積層コンデンサＣ１と同様の効果を得ることができる。更に、第３実施形態に係る積層コンデンサでは、第１、第２、第５、及び第６の内部電極２１，２２，２５，２６の厚さを比較的厚くできるので、直流抵抗を更に下げることが可能となり、積層コンデンサのQ値をいっそう向上させることができる。また、端面間が対向する第３、第４、第７、及び第８の内部電極２３，２４，２７，２８の厚さを比較的薄くできるので、静電容量値が小さい容量形成領域をより確実に得ることができる。よって、静電容量値の微調整がより確実に可能となる。
【００７６】
続いて、図８（ａ）に基づいて、第３実施形態の変形例について説明する。図８（ａ）は、第３実施形態の変形例に係る積層コンデンサが備える積層体の断面図である。本変形例に係る積層コンデンサでは、第３及び第７の内部電極２３，２７の形状が第３実施形態と異なっている。
【００７７】
本変形例の第３の内部電極２３は、積層体１の側面６，７が対向する方向において、第２の内部電極２２よりも長さが短い。本変形例の第７の内部電極２７は、積層体１の側面６，７が対向する方向において、第１の内部電極２１よりも長さが短い。
【００７８】
このような積層コンデンサでは、第３実施形態に係る積層コンデンサと同じ効果を得ることができる。また、第３の内部電極２３を第２の内部電極２２よりも短くし、第７の内部電極２７を第１の内部電極２１よりも短くしたので、大きな積層ずれ等が発生した際に、第１の内部電極２１と第３の内部電極２３との間、及び、第２の内部電極２２と第７の内部電極２７との間に、静電容量を実質的に生じさせる領域が形成される可能性を低減できる。よって、静電容量値のばらつきが少ない積層コンデンサをより確実に得ることができる。
【００７９】
続いて、図８（ｂ）に基づいて、第３実施形態の他の変形例について説明する。図８（ｂ）は、第３実施形態の他の変形例に係る積層コンデンサが備える積層体の断面図である。本変形例に係る積層コンデンサでは、第４及び第８の内部電極２４，２８の形状が第３実施形態と異なっている。
【００８０】
本変形例の第４の内部電極２４は、積層体１の側面６，７が対向する方向において、第５の内部電極２５よりも長さが短い。本変形例の第８の内部電極２８は、積層体１の側面６，７が対向する方向において、第６の内部電極２６よりも長さが短い。
【００８１】
このような積層コンデンサでは、第３実施形態に係る積層コンデンサと同じ効果を得ることができる。また、第４の内部電極２４を第５の内部電極２５よりも短くし、第８の内部電極２８を第６の内部電極２６よりも短くしたので、積層ずれ等が発生した際に、第２の内部電極２２と第４の内部電極２４との間、及び、第１の内部電極２１と第８の内部電極２８との間に、静電容量を実質的に生じさせる領域が形成される可能性を低減でき、静電容量値のばらつきが少ない積層コンデンサをより確実に得ることができる。
【００８２】
続いて、図８（ｃ）に基づいて、第３実施形態の他の変形例について説明する。図８（ｃ）は、第３実施形態の他の変形例に係る積層コンデンサが備える積層体の断面図である。本変形例に係る積層コンデンサでは、第３、第４、第７、及び第８の内部電極２３，２４，２７，２８の形状が第３実施形態と異なっている。
【００８３】
積層体１の側面６，７が対向する方向において、本変形例の第３の内部電極２３は第２の内部電極２２よりも長さが短く、第４の内部電極２４は第５の内部電極２５よりも長さが短く、第７の内部電極２７は第１の内部電極２１よりも長さが短く、第８の内部電極２８は、第６の内部電極２６よりも長さが短い。
【００８４】
このような積層コンデンサでは、第３実施形態に係る積層コンデンサと同じ効果を得ることができる。また、第３の内部電極２３を第２の内部電極２２よりも短くし、第４の内部電極２４を第５の内部電極２５よりも短くし、第７の内部電極２７を第１の内部電極２１よりも短くし、第８の内部電極２８を第６の内部電極２６よりも短くしたので、大きな積層ずれ等が発生した際に、第１の内部電極２１と第３及び第８の内部電極２３，２８との間、及び、第２の内部電極２２と第４及び第７の内部電極２４，２７との間に、静電容量を実質的に生じさせる領域が形成される可能性を低減でき、静電容量値のばらつきが少ない積層コンデンサをより確実に得ることができる。
【００８５】
以上、本発明の好適な実施形態について説明してきたが、本発明は必ずしも上述した実施形態に限定されるものではなく、その要旨が逸脱しない範囲で様々な変更が可能である。
【００８６】
例えば、第３、第４、第７、及び第８の内部電極２３，２４，２７，２８の枚数は上記実施形態に示したものに限られない。ただし、第１及び第２の内部電極２１，２２については一対のみとする。
【００８７】
また上に示した各変形例では、第３の内部電極２３が短いときには第７の内部電極２７も短く、第４の内部電極２４が短いときには第８の内部電極２８も短くなっているが、必ずしもそうでなくてもよい。すなわち、第３の内部電極２３、第７の内部電極２７、第４の内部電極２４、及び第８の内部電極２８の長さは、別々に設定することができる。
【図面の簡単な説明】
【００８８】
【図１】第１実施形態に係る積層コンデンサの斜視図である。
【図２】第１実施形態に係る積層コンデンサが備える積層体の断面図である。
【図３】第１実施形態に係る積層コンデンサが備える積層体の分解斜視図である。
【図４】第１実施形態の変形例に係る積層コンデンサが備える積層体の断面図である。
【図５】第２実施形態及び第２実施形態の変形例に係る積層コンデンサが備える積層体の断面図である。
【図６】第２実施形態の変形例に係る積層コンデンサが備える積層体の断面図である。
【図７】第３実施形態に係る積層コンデンサが備える積層体の断面図である。
【図８】第３実施形態の変形例に係る積層コンデンサが備える積層体の断面図である。
【符号の説明】
【００８９】
Ｃ１・・・積層コンデンサ、１・・・積層体、１０・・・第１の端子電極、１１・・・第２の端子電極、２０・・・絶縁体層、２１・・・第１の内部電極、２２・・・第２の内部電極、２３・・・第３の内部電極、２４・・・第４の内部電極、２５・・・第５の内部電極、２６・・・第６の内部電極、２７・・・第７の内部電極、２８・・・第８の内部電極。
【図１】
0005303944.tif 000002
【図２】
0005303944.tif 000003
【図３】
0005303944.tif 000004
【図４】
0005303944.tif 000005
【図５】
0005303944.tif 000006
【図６】
0005303944.tif 000007
【図７】
0005303944.tif 000008
【図８】
0005303944.tif 000009